(57)【要約】      （修正有）【課題】モジュール化カップボード装置の連接ポール構造を提供する。【解決手段】モジュール化カップボード装置の連接ポール構造は、２つのカップボード外部板部材２１，２２の間に構設され、各カップボード外部板部材は第一組面２１１，２２１、第一組面の反対側に位置する第二組面２１２，２２２、第一組面と第二組面との間に設けられる内部板面２１３，２２３、及び第一組面と第二組面との間に設けられると共に内部板面の背面に設けられる外部板面２１４，２２４を有する。連接ポールは、何れか１つのカップボード外部板部材の第一組面に構設される第一連接ポール平面３１と、他のカップボード外部板部材の第一組面に構設される第二連接ポール平面３２と、第一連接ポール平面と第二連接ポール平面との間に設けられると共に２つのカップボード外部板部材の内部板面の間に継合される内弧面３３を備える。これにより、内部空間の各端角は弧状を呈し、カップボード内部空間の整理の利便性を高める。【選択図】図２
0003186806.tif 000002
【実用新案登録請求の範囲】
【請求項１】
２つのカップボ−ド外部板部材の間に構設され、各前記カップボ−ド外部板部材は第一組面、前記第一組面の反対側に位置する第二組面、前記第一組面と第二組面との間に設けられる内部板面、及び前記第一組面と第二組面との間に設けられると共に前記内部板面の背面に設けられる外部板面を有するモジュール化カップボ−ド装置の連接ポ−ル構造であって、
前記連接ポ−ルは、何れか１つの前記カップボ−ド外部板部材の第一組面に構設される第一連接ポ−ル平面と、
他の前記カップボ−ド外部板部材の第一組面に構設される第二連接ポ−ル平面と、
前記第一連接ポ−ル平面と第二連接ポ−ル平面との間に設けられると共に前記２つのカップボ−ド外部板部材の内部板面の間に継合される内弧面を備える事を特徴とする、
モジュール化カップボ−ド装置の連接ポ−ル構造。
【請求項２】
前記連接ポ−ルは、前記第一連接ポ−ル平面と第二連接ポ−ル平面との間に構設されると共に前記内弧面の背面に設けられ、且つ前記２つのカップボ−ド外部板部材の外部板面の間に継合される外弧面を更に有する事を特徴とする、請求項１に記載のモジュール化カップボ−ド装置の連接ポ−ル構造。
【請求項３】
２つのカップボ−ド外部板部材とカップボ−ド内部板面との間に構設され、各前記カップボ−ド外部板部材は第一組面、前記第一組面の反対側に位置する第二組面、前記第一組面と第二組面との間に設けられる内部板面、及び前記第一組面と第二組面との間に設けられると共に前記内部板面の背面に設けられる外部板面を有し、前記カップボ−ド内部板面は第一組面、前記第一組面の反対側に位置する第二組面、前記第一組面と第二組面との間に設けられる第一内部組面、及び前記第一組面と第二組面との間に設けられると共に前記第一内部組面の背面に設けられる第二内部組面を有するモジュール化カップボ−ド装置の連接ポ−ル構造であって、
前記連接ポ−ルは、何れか１つの前記カップボ−ド外部板部材の第一組面に構設される第一連接ポ−ル平面と、
前記第一連接ポ−ル平面の背面に設けられると共に他の前記カップボ−ド外部板部材の第一組面に構設される第二連接ポ−ル平面と、
前記カップボ−ド内部板面の第一組面に構設される第三連接ポ−ル平面と、
前記第一連接ポ−ル平面と第二連接ポ−ル平面との間に設けられると共に何れか１つの前記カップボ−ド外部板部材の内部板面と前記カップボ−ド内部板面の第一内部組面との間に継合される第一内弧面と、
前記第二連接ポ−ル平面と前記第三連接ポ−ル平面との間に設けられると共に他の前記カップボ−ド外部板部材の内部板面と前記カップボ−ド内部板面の第二内部組面との間に継合される第二内弧面を備える事を特徴とする、
モジュール化カップボ−ド装置の連接ポ−ル構造。
【請求項４】
前記連接ポ−ルは、前記第二連接ポ−ル平面の反対に設けられると共に前記２つのカップボ−ド外部板部材の外部板面の間に継合される第四連接ポ−ル平面を更に有する事を特徴とする、請求項３に記載のモジュール化カップボ−ド装置の連接ポ−ル構造。
【請求項５】
４つのカップボ−ド内部板面の間に構設され、各前記カップボ−ド内部板面は第一組面、前記第一組面の反対側に位置する第二組面、及び前記第一組面と第二組面との間に設けられると共に対向し合う２つの内部板面を有するモジュール化カップボ−ド装置の連接ポ−ル構造であって、前記連接ポ−ルは、
各前記カップボ−ド内部板面の第一組面にそれぞれ設けられる４つの連接ポ−ル平面と、
各２つの前記連接ポ−ル平面の間にそれぞれ設けられると共に各２つの前記カップボ−ド内部板面の内部板面の間に継合される４つの内弧面を更に備える事を特徴とする、
モジュール化カップボ−ド装置の連接ポ−ル構造。
【考案の詳細な説明】
【技術分野】
【０００１】
本考案は、モジュール化カップボ−ド装置の連接ポ−ル構造に関する。
【背景技術】
【０００２】
特許文献１には、カップボ−ド板部材、ほぞ（ｔｅｎｏｎ）、ねじ、プラスチックカバー、連接ポ−ル、及び留め具により組成され、カップボ−ド板部材及び連接ポ−ルには位置決め溝及びほぞ溝が設けられ、ねじはプラスチックカバーに被覆されると共に連接ポ−ルの位置決め溝に螺設され、カップボ−ド板部材のほぞ溝及びほぞにより連接ポ−ルのほぞ溝に連接させて嵌合させ、ほぞによりカップボ−ド板部材と連接ポ−ルとを嵌合させ、組立て時に容易に定位させ、連接ポ−ルに螺設されるねじをカップボ−ド板部材の位置決め溝内の嵌合溝に埋入させ、留め具を用いて嵌合し、ユーザーがねじを締める苦労なくカップボ−ドの組立て及び解体を行える技術が記載されている。
【先行技術文献】
【特許文献】
【０００３】
【特許文献１】台湾特許出願公開第９２２１９０２６号公報
【考案の概要】
【考案が解決しようとする課題】
【０００４】
しかしながら、前述した従来の技術では、組成されたカップボ−ドには下述の欠点を有する。
図１に示すように、各連接ポ−ル１１の断面は矩形を呈し、各カップボ−ド板部材１２と各連接ポ−ル１１とを連接装置１３によりカップボ−ド１０として組成させ、内部空間１４の各端角１５は直角状を呈する。このため、カップボ−ド１０の内部空間１４を清掃する際に、各端角１５の角度が鋭角過ぎると清掃ツールが奥まで入らず、カップボ−ド１０の清掃が不便であった。
【０００５】
また、連接ポ−ル１１がカップボ−ド１０の各端角の連接部材となる場合は、同様に各連接ポ−ル１１の断面が矩形を呈し、カップボ−ド１０の外部空間の各端角１６は直角状を呈するため、予測不可能な危険性をはらんでいた。
【０００６】
そこで、本考案者は上記の欠点が改善可能と考え、鋭意検討を重ねた結果、合理的かつ効果的に課題を改善する本考案の提案に到った。
【０００７】
本考案は、このような従来の問題に鑑みてなされたものである。上記課題解決のため、本考案は、清掃の利便性を高めるモジュール化カップボ−ド装置の連接ポ−ル構造を提供することを主目的とする。
【０００８】
また、本考案は、使用上の安全性を高めるモジュール化カップボ−ド装置の連接ポ−ル構造を提供することを目的とする。
【０００９】
さらに、本考案は、使用の変化性を高めるモジュール化カップボ−ド装置の連接ポ−ル構造を提供することを目的とする。
【課題を解決するための手段】
【００１０】
上述した課題を解決し、目的を達成するために、本考案に係るモジュール化カップボ−ド装置の連接ポ−ル構造は、２つのカップボ−ド外部板部材の間に構設され、各前記カップボ−ド外部板部材は第一組面、前記第一組面の反対側に位置する第二組面、前記第一組面と第二組面との間に設けられる内部板面、及び前記第一組面と第二組面との間に設けられると共に前記内部板面の背面に設けられる外部板面を有するモジュール化カップボ−ド装置の連接ポ−ル構造であって、前記連接ポ−ルは、何れか１つの前記カップボ−ド外部板部材の第一組面に構設される第一連接ポ−ル平面と、他の前記カップボ−ド外部板部材の第一組面に構設される第二連接ポ−ル平面と、前記第一連接ポ−ル平面と第二連接ポ−ル平面との間に設けられると共に前記２つのカップボ−ド外部板部材の内部板面の間に継合される内弧面を備えることを特徴とする。
【００１１】
好ましくは、本願のモジュール化カップボ−ド装置の連接ポ−ル構造は、第一連接ポ−ル平面と第二連接ポ−ル平面との間に構設されると共に内弧面の背面に設けられ、且つ２つのカップボ−ド外部板部材の外部板面の間に継合される外弧面を更に有することを特徴とする。
【００１２】
また、目的を達成するための、本考案に係るモジュール化カップボ−ド装置の連接ポ−ル構造は、２つのカップボ−ド外部板部材とカップボ−ド内部板面との間に構設され、各前記カップボ−ド外部板部材は第一組面、前記第一組面の反対側に位置する第二組面、前記第一組面と第二組面との間に設けられる内部板面、及び前記第一組面と第二組面との間に設けられると共に前記内部板面の背面に設けられる外部板面を有し、前記カップボ−ド内部板面は第一組面、前記第一組面の反対側に位置する第二組面、前記第一組面と第二組面との間に設けられる第一内部組面、及び前記第一組面と第二組面との間に設けられると共に前記第一内部組面の背面に設けられる第二内部組面を有するモジュール化カップボ−ド装置の連接ポ−ル構造であって、前記連接ポ−ルは、何れか１つの前記カップボ−ド外部板部材の第一組面に構設される第一連接ポ−ル平面と、前記第一連接ポ−ル平面の背面に設けられると共に他の前記カップボ−ド外部板部材の第一組面に構設される第二連接ポ−ル平面と、前記カップボ−ド内部板面の第一組面に構設される第三連接ポ−ル平面と、前記第一連接ポ−ル平面と第二連接ポ−ル平面との間に設けられると共に何れか１つの前記カップボ−ド外部板部材の内部板面と前記カップボ−ド内部板面の第一内部組面との間に継合される第一内弧面と、前記第二連接ポ−ル平面と前記第三連接ポ−ル平面との間に設けられると共に他の前記カップボ−ド外部板部材の内部板面と前記カップボ−ド内部板面の第二内部組面との間に継合される第二内弧面を備えることを特徴とする。
【００１３】
好ましくは、本願のモジュール化カップボ−ド装置の連接ポ−ル構造は、第二連接ポ−ル平面の反対に設けられると共に２つのカップボ−ド外部板部材の外部板面の間に継合される第四連接ポ−ル平面を更に有することを特徴とする。
【００１４】
目的を達成するための、本考案に係るモジュール化カップボ−ド装置の連接ポ−ル構造は、４つのカップボ−ド内部板面の間に構設され、各前記カップボ−ド内部板面は第一組面、前記第一組面の反対側に位置する第二組面、及び前記第一組面と第二組面との間に設けられると共に対向し合う２つの内部板面を有するモジュール化カップボ−ド装置の連接ポ−ル構造であって、前記連接ポ−ルは、各前記カップボ−ド内部板面の第一組面にそれぞれ設けられる４つの連接ポ−ル平面と、各２つの前記連接ポ−ル平面の間にそれぞれ設けられると共に各２つの前記カップボ−ド内部板面の内部板面の間に継合される４つの内弧面を更に備えることを特徴とする。
【図面の簡単な説明】
【００１５】
【図１】特許文献１の図３を説明する一部拡大図である。
【図２】本考案の第１実施形態によるモジュール化カップボ−ド装置の連接ポ−ル構造の傾斜分解図で、本実施形態と各カップボ−ドの板部材の分解を示す模式図である。
【図３】本考案の第１実施形態によるモジュール化カップボ−ド装置の連接ポ−ル構造の傾斜組合せ図で、本実施形態と各カップボ−ドの板部材の分解を示す模式図である。
【図４】本考案の第１実施形態によるモジュール化カップボ−ド装置の連接ポ−ル構造の組合せ拡大図で、本実施形態と各カップボ−ドの板部材の組合を示す拡大図である。
【図５】本考案の第１実施形態によるモジュール化カップボ−ド装置を示す一部傾斜図である。
【図６】本考案の第１、２及び３実施形態によるモジュール化カップボ−ド装置の連接ポ−ル構造の傾斜組合せ図で、本実施形態と各カップボ−ドの板部材の組合せを示す模式図である。
【図７】本考案の第１実施形態によるモジュール化カップボ−ド装置の連接ポ−ル構造の傾斜組合せ図で、本実施形態と各カップボ−ドの板部材の組合せを示すほかの実施形態図である。
【図８】本考案の第２実施形態によるモジュール化カップボ−ド装置を示す一部傾斜図である。
【図９】本考案の第３実施形態によるモジュール化カップボ−ド装置を示す一部傾斜図である。
【考案を実施するための形態】
【００１６】
以下、本考案の実施形態を図面に基づいて説明する。なお、本考案は、以下に説明する実施形態に限定されるものではない。
（第１実施形態）
図２ないし図５は本実施形態に係るモジュール化カップボ−ド装置の連接ポ−ル構造であり、２つのカップボ−ド外部板部材２１とカップボ−ド外部板部材２２との間に構設され、各カップボ−ド外部板部材２１及びカップボ−ド外部板部材２２は第一組面２１１、第一組面２２１、第一組面２１１と第一組面２２１との反対側に位置する第二組面２１２並びに第二組面２２２、第一組面２１１、第一組面２２１、第二組面２１２及び第二組面２２２の間に設けられる内部板面２１３並びに内部板面２２３、及び第一組面２１１、第一組面２２１、第二組面２１２、及び第二組面２２２の間に設けられると共に内部板面２１３及び内部板面２２３の背面に設けられる外部板面２１４並びに外部板面２２４を有する。
連接ポ−ル３０は第一連接ポ−ル平面３１、第二連接ポ−ル平面３２、内弧面３３、及び外弧面３４で構成される。第一連接ポ−ル平面３１は何れか１つのカップボ−ド外部板部材２１の第一組面２１１に構設され、第二連接ポ−ル平面３２は他のカップボ−ド外部板部材の第一組面２２１に構設され、内弧面３３は第一連接ポ−ル平面と第二連接ポ−ル平面３１及び第二連接ポ−ル平面３２との間に設けられると共に２つのカップボ−ド外部板部材２１及びカップボ−ド外部板部材２２の内部板面２１３と内部板面２２３との間に継合される。
【００１７】
外弧面３４は第一連接ポ−ル平面、第二連接ポ−ル平面３１及び第二連接ポ−ル平面３２の間に構設されると共に内弧面３３の背面に位置し、外弧面３４は２つのカップボ−ド外部板部材２１及びカップボ−ド外部板部材２２の外部板面２１４と外部板面２２４との間に継合される。
ここで、連接ポ−ル３０は２つのカップボ−ド外部板部材２１とカップボ−ド外部板部材２２との間のねじ４１、留め具４２等の部材により構成される連接装置４０に構設される。連接装置４０は従来の部材であり、前記２つのカップボ−ド外部板部材２１及びカップボ−ド外部板部材２２を連接ポ−ル３０に連接させる方式も従来のものと同じであるため、本考案の改良の重点ではなく、部材の詳細な構造及び作動方式については詳述しない。
【００１８】
（第２実施形態）
連接ポ−ル３０は２つのカップボ−ド外部板部材２１及びカップボ−ド外部板部材２２の内部板面２１３と内部板面２２３との間に継合される内弧面３３を有し、各カップボ−ド板部材２１、カップボ−ド板部材２２、及び連接ポ−ル３０によりカップボ−ドを構成する。
なお、内部空間の各端角は弧状を呈し、カップボ−ドの内部空間を清掃する場合、各端角は広角で平滑であり、清掃ツールを容易に奥まで入れて清掃でき、カップボードの内部空間の清掃の利便性を向上させる目的を達成させる。
【００１９】
次に、連接ポ−ル３０は２つのカップボ−ド外部板部材２１及びカップボ−ド外部板部材２２の外部板面２１４と外部板面２２４との間に継合される外弧面３４を有する。これによりカップボ−ドの外部空間の各端角は円弧状を呈し、尖角ではないため危険性がなく、前記カップボ−ドを使用する際の安全性を向上させる目的を達成させる。
【００２０】
図２、図５及び図６に示すように、連接ポ−ル３０により各カップボ−ド外部板部材２１及びカップボ−ド外部板部材２２或いは各カップボ−ド外部板部材２１及びカップボ−ド外部板部材２２とカップボ−ド内部板面２３との間を連接させ、異なる形式及び空間形態のカップボ−ドを構成させて、実際の需要に応える。
【００２１】
図５及び図７に示すように、本実施形態に係るモジュール化カップボ−ド装置の連接ポ−ル構造は、２つのカップボ−ド外部板部材２２並びにカップボ−ド外部板部材２４とカップボ−ド内部板面２３との間に構設され、各カップボ−ド外部板部材２２及びカップボ−ド外部板部材２４は第一組面２２１、第一組面２４１、第一組面２１２と第一組面２４２との反対側に位置する第二組面２２２並びに第二組面２４２、第一組面２２１、第一組面２４１、２２２及び第二組面２４２の間に設けられる内部板面２２３と内部板面２３３、及び第一組面２２１、第一組面２４１、第二組面２２２、及び第二組面２４２の間に設けられると共に内部板面２２３と内部板面２３３との背面に設けられる外部板面２２４並びに外部板面２４４を有する。
カップボ−ド内部板面２３は第一組面２３１、第一組面２３１の反対側に位置する第二組面２３２、第一組面２３１と第二組面２３２との間に設けられる第一内部組面２３３、及び第一組面２３１と第二組面２３２との間に設けられると共に第一内部組面２３３の背面に設けられる第二内部組面２３４を有する。連接ポ−ル５０は第連接ポ−ル平面５１、第二連接ポ−ル平面５２、第三連接ポ−ル平面５３、第四連接ポ−ル平面５４、第一内弧面５５、及び第二内弧面５６で構成される。
第一連接ポ−ル平面５１は何れか１つのカップボ−ド外部板部材２２の第一組面２２１に構設され、２つの連接ポ−ル平面５２は第一連接ポ−ル平面５１の背面に設けられると共に他のカップボ−ド外部板部材２４の第一組面２４１に構設される。第三連接ポ−ル平面５３はカップボ−ド内部板面２３の第一組面２３１に構設され、第四連接ポ−ル平面５４は第二連接ポ−ル平面５２の反対に設置される２つのカップボ−ド外部板部材２２及びカップボ−ド外部板部材２４の外部板面２２４及び外部板面２４４の間を継合させる。
【００２２】
第一内弧面５５は第一連接ポ−ル平面５１と第二連接ポ−ル平面５２との間に設けられると共に何れか１つのカップボ−ド外部板部材２２の内部板面２２３とカップボ−ド内部板面２３の第一内部組面２３３との間に継合される。
【００２３】
第二内弧面５６は第二連接ポ−ル平面５２と第三連接ポ−ル平面５３との間に設けられると共に他のカップボ−ド外部板部材２４の内部板面２４３とカップボ−ド内部板面２３の第二内部組面２３４との間に継合される。第二実施形態及び第一実施形態の効果及び目的は同じであるため再述しない。
【００２４】
（第３実施形態）
図６及び図８に示すように、本実施形態に係るモジュール化カップボ−ド装置の連接ポ−ル構造は、４つのカップボ−ド内部板面２３の間に構設され、各カップボ−ド内部板面２３は第一組面２３１と前記第一組面２３１との反対側に位置する第二組面２３２、前記第一組面２３１と第二組面２３２との間に設けられると共に対向し合う２つの内部板面２３５を有する。
連接ポ−ル６０は４つの連接ポ−ル平面６１及び４つの内弧面６２で構成される。４つの連接ポ−ル平面６１は各カップボ−ド内部板面２３の第一組面２３１にそれぞれ設けられ、４つの内弧面６２は各２つの連接ポ−ル平面６１の間にそれぞれ設けられると共に各２つのカップボ−ド内部板面２３の内部板面２３５の間を継合させる。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１０    カップボ−ド
１１    連接ポ−ル
１２    カップボ−ド板部材
１３    連接装置
１４    内部空間
１５    端角
１６    端角
２１    カップボ−ド外部板部材
２２    カップボ−ド外部板部材
２４    カップボ−ド外部板部材
２１１  第一組面
２２１  第一組面
２４１  第一組面
２１２  第二組面
２２２  第二組面
２４２  第二組面
２１３  内部板面
２２３  内部板面
２４３  内部板面
２１４  外部板面
２２４  外部板面
２４４  外部板面
２３１  第一組面
２３２  第二組面
２３３  第一内部組面
２３４  第二内部組面
２３５  内部板面
３０    連接ポ−ル
３１    第一連接ポ−ル平面
３２    第二連接ポ−ル平面
３３    内弧面
３４    外弧面
４０    連接装置
４１    ねじ
４２    留め具
５０    連接ポ−ル
５１    第一連接ポ−ル平面
５２    第二連接ポ−ル平面
５３    第三連接ポ−ル平面
５４    第四連接ポ−ル平面
５５    第一内弧面
５６    第二内弧面
６      連接ポ−ル平面
６０    連接ポ−ル
６２    内弧面
２３    カップボ−ド内部板面
【図１】
0003186806.tif 000003
【図２】
0003186806.tif 000004
【図３】
0003186806.tif 000005
【図４】
0003186806.tif 000006
【図５】
0003186806.tif 000007
【図６】
0003186806.tif 000008
【図７】
0003186806.tif 000009
【図８】
0003186806.tif 000010
【図９】
0003186806.tif 000011